(57)【要約】【課題】  支持脚一体型のフロアパネル支持構造を提供するものである。【解決手段】  フロアパネル５１の四隅５２を支持する第一支持脚１１を中心として、その第一支持脚１１を囲むようにフロアパネル５１の四隅５２以外を支持する複数の第二支持脚２１，２１，…を連結して備える。フロアパネル５１と接する第一支持脚１１及び第二支持脚２１の上面１２，２２には、ゴム製の突起状部材からなる第一支持脚用緩衝部材３１，第一支持脚用緩衝部材３６が取り付けられる。その第一支持脚用緩衝部材３１は、第二支持脚用緩衝部材３６よりもフロアパネル５１を支持する支持力が大きい。そして、第一支持脚と第二支持脚とは、同一の高さを有している。【選択図】  図２
2005036494.tif 000002
【特許請求の範囲】
【請求項１】
フロアパネルを支持するための支持構造であって、
フロアパネルの四隅を支持する第一支持脚を中心として、その第一支持脚を囲むようにフロアパネルの四隅以外を支持する複数の第二支持脚を連結させた支持脚連結ユニットを備え、
フロアパネルと接する第一支持脚及び第二支持脚の上面には、緩衝部材が取り付けられていることを特徴とするフロアパネル支持構造。
【請求項２】
フロアパネルを支持するための支持構造であって、
フロアパネルの四隅を支持する第一支持脚を中心として、その第一支持脚を囲むようにフロアパネルの四隅以外を支持する複数の第二支持脚を連結させた支持脚連結ユニットを備え、
この支持脚連結ユニット上へ同じ支持脚連結ユニットを重ね合わせることで、フロアパネルの高さ調整を行うとともに、
フロアパネルと接する第一支持脚及び第二支持脚の上面には、緩衝部材が取り付けられていることを特徴とするフロアパネル支持構造。
【請求項３】
フロアパネルを支持するための支持構造であって、
フロアパネルの四隅を支持する第一支持脚を中心として、その第一支持脚を囲むようにフロアパネルの四隅以外を支持する複数の第二支持脚を連結させた支持脚連結ユニットを備え、
この支持脚連結ユニット上へ第一支持脚及び第二支持脚を個々に重ね合わせることで、フロアパネルの高さ調整を行うとともに、
フロアパネルと接する第一支持脚及び第二支持脚の上面には、緩衝部材が取り付けられていることを特徴とするフロアパネル支持構造。
【請求項４】
第一支持脚上面に取り付ける第一支持脚用緩衝部材は、第二支持脚上面に取り付ける第二支持脚用緩衝部材よりも、フロアパネルを支持する支持力が大きいことを特徴とする請求項１から３のいずれかに記載のフロアパネル支持構造。
【請求項５】
緩衝部材がゴム製の突起状部材からなり、
第二支持脚用緩衝部材には、高さの異なる複数の突起体が設けられていることを特徴とする請求項１から４のいずれかに記載のフロアパネル支持構造。
【請求項６】
第二支持脚用緩衝部材は、第一支持脚用緩衝部材よりも柔軟性のあることを特徴とする請求項１から４のいずれかに記載のフロアパネル支持構造。
【請求項７】
第二支持脚用緩衝部材は、第一支持脚用緩衝部材よりも低密度であることを特徴とする請求項１から４のいずれかに記載のフロアパネル支持構造。
【請求項８】
緩衝部材の取り付けられた第一支持脚及び第二支持脚とが、同一の高さを有することを特徴とする請求項１から７のいずれかに記載のフロアパネル支持構造。
【発明の詳細な説明】
【技術分野】
【０００１】
本発明は、オフィス等で用いられるフロアパネルを支持するためのフロアパネル支持構造に関するものである。
【背景技術】
【０００２】
フロアパネルとは、床上にもう一段パネルを敷設し、そのパネルと床との間の空間にコード等を配線できる二重床の上層パネルのことをいう。このフロアパネルの支持構造には、フロアパネルを床面から支持する複数の支持脚を連結して一体型としたものがある。
【０００３】
その支持脚一体型のフロアパネル支持構造に関する先行文献としては、以下の特許文献１〜４がある。
特許文献１は、比較的古い特許文献である。この特許文献１によるフロアパネルの支持構造は、合成樹脂シートに膨出凸部を設けて支持脚とするものである。
【０００４】
特許文献２には、支持脚を連結した支持脚ユニットにリングを備え、そのリングを他の支持脚ユニットの支持脚に嵌合することで、二重床の施工を簡単にし、施工時間を大幅に短縮できるフロアパネルの支持構造が開示されている。
【０００５】
特許文献３には、支持脚の内部を中空状に形成することで、支持脚を連結したベースを積み重ねることができ、複数のベースをコンパクト化した状態で運搬・保管できるフロアパネルの支持構造が開示されている。
また、特許文献３と同一出願人による特許文献４には、フロアパネル裏面の周辺部を支持する第１支持体と、該第１支持体間に設けられる複数の第２支持体とから構成され、この第２支持体の高さが、予め第１支持体の高さよりもわずかに低く形成されているフロアパネルの支持構造が開示されている。この支持構造によれば、フロアパネルのがたつきが発生せず、支持強度が低下しないとされる。
【０００６】
【特許文献１】特開昭６０  −２０８５５３号公報
【特許文献２】特許第３２８３１０１号公報
【特許文献３】特開２０００−  ５４６０３号公報
【特許文献４】特開２０００−  ５４６０５号公報
【発明の開示】
【発明が解決しようとする課題】
【０００７】
前記特許文献１〜４のような従来の「支持脚一体型のフロアパネル支持構造」は、複数の支持脚が連結されて一体型となっているので、施工性がよいという利点はある。
しかし、次のような問題点も有している。
【０００８】
まず第一に、歩行等によりフロアパネルに衝撃が加わった場合に、フロアパネルと支持脚との衝突により衝突音が出てしまう。前記特許文献４では、フロアパネルのがたつきを抑制するために、第２支持体の高さが、予め第１支持体の高さよりもわずかに低く形成されている。そして、フロアパネルに所定以上の荷重が加わると、下方に湾曲したフロアパネルの裏面が第２支持体の上端面に当接するために（段落００２６）、衝突音が発生することになる。
【０００９】
第二に、フロアパネルの高さ調整を簡単に行うことができない。前記特許文献３では、「予め種々の高さに設定された支持体を有するベースを用意しておくことで、現場に応じた大きさの収納空間を形成することができる」とある（段落００１５）。しかし、「予め種々の高さに設定された支持体を有するベースを用意しておくこと」は、製造コスト・在庫管理等の理由から必ずしも経済的・効率的な考え方ではない。
【課題を解決するための手段】
【００１０】
そこで、これらの問題点を解決した「支持脚一体型のフロアパネル支持構造」を提供すべく、本発明者は、次の第一から第八に係る発明をした。
まず、第一の発明は、フロアパネルを支持するための支持構造であって、フロアパネルの四隅を支持する第一支持脚を中心として、その第一支持脚を囲むようにフロアパネルの四隅以外を支持する複数の第二支持脚を連結させた支持脚連結ユニットを備え、フロアパネルと接する第一支持脚及び第二支持脚の上面には、緩衝部材が取り付けられていることを特徴とするものである。
【００１１】
第二の発明は、フロアパネルの高さ調整を考慮したものである。すなわち、フロアパネルを支持するための支持構造であって、フロアパネルの四隅を支持する第一支持脚を中心として、その第一支持脚を囲むようにフロアパネルの四隅以外を支持する複数の第二支持脚を連結させた支持脚連結ユニットを備え、この支持脚連結ユニット上へ同じ支持脚連結ユニットを重ね合わせることで、フロアパネルの高さ調整を行うとともに、フロアパネルと接する第一支持脚及び第二支持脚の上面には、緩衝部材が取り付けられていることを特徴とするものである。
【００１２】
第三の発明も第二の発明と同様に、フロアパネルの高さ調整を考慮したものである。すなわち、フロアパネルを支持するための支持構造であって、フロアパネルの四隅を支持する第一支持脚を中心として、その第一支持脚を囲むようにフロアパネルの四隅以外を支持する複数の第二支持脚を連結させた支持脚連結ユニットを備え、この支持脚連結ユニット上へ第一支持脚及び第二支持脚を個々に重ね合わせることで、フロアパネルの高さ調整を行うとともに、フロアパネルと接する第一支持脚及び第二支持脚の上面には、緩衝部材が取り付けられていることを特徴とするものである。
ここで、「支持脚連結ユニット上へ第一支持脚及び第二支持脚を個々に重ね合わせる」とは、連結されていない個々の独立した第一支持脚及び第二支持脚を支持脚連結ユニット上へ重ね合わせることを意味する。
【００１３】
第四から第七の発明は、緩衝部材に関するものである。
第四の発明は、第一支持脚上面に取り付ける第一支持脚用緩衝部材が、第二支持脚上面に取り付ける第二支持脚用緩衝部材よりも、フロアパネルを支持する支持力が大きいことを特徴とするものである。
ここで、「支持力が大きい」とは、フロアパネルを支持する力が強いことをいう。
【００１４】
第五の発明は、緩衝部材がゴム製の突起状部材からなり、第二支持脚用緩衝部材には、高さの異なる複数の突起体が設けられていることを特徴とするものである。
また、第六の発明は、第二支持脚用緩衝部材が、第一支持脚用緩衝部材よりも柔軟性のあることを特徴とし、第七の発明は、第二支持脚用緩衝部材が、第一支持脚用緩衝部材よりも低密度であることを特徴とする。
ここで、第六及び第七の発明の場合に、緩衝部材の材料は、第一支持脚用緩衝部材と第二支持脚用緩衝部材とで同じであっても、同じでなくても構わない。つまり、柔軟性あるいは密度が異なればよい。
さらには、第一支持脚用緩衝部材と第二支持脚用緩衝部材によって、緩衝部材の大きさ（面積）を変更することで、フロアパネルに対する支持力を異なるものとしてもよい。
【００１５】
第八の発明は、緩衝部材の取り付けられた第一支持脚及び第二支持脚が、同一の高さを有することを特徴とするものである。
【発明の効果】
【００１６】
本発明によれば、以下の効果を有する。
（１）  支持脚の上面に緩衝部材を取り付けるので、支持脚を設置する床面の凹凸にかか      わらず、フロアパネルを安定して支持することが可能となる。
（２）  支持脚連結ユニットや第一支持脚及び第二支持脚を重ね合わせるだけで、フロア      パネルの高さ調整が容易になる。
（３）  支持脚を多数配置するにもかかわらず、フロアパネル下に配線スペースを十分に      とれる。
（４）  第一支持脚及び第二支持脚ともに緩衝部材を介してフロアパネルと接しているの      で、防音効果がある。とくに、第一支持脚及び第二支持脚ともに緩衝部材を介して      予めフロアパネルと接しているので、フロアパネルと支持脚との衝突による衝突音      の発生を防止する防音効果が高い。
【発明を実施するための最良の形態】
【００１７】
図１〜６に基づいて、本発明の実施形態を説明する。
図１は、本発明で用いられる支持脚連結ユニット１０の全体図である。支持脚連結ユニット１０は、中心に第一支持脚１１と、その第一支持脚１１を囲むように８つの第二支持脚２１とを連結して備えている。
【００１８】
第一支持脚１１は、角がわずかに湾曲する平面略正方形からなるブロック体であり、上半分をわずかに絞って段差部１７を有している。また、フロアパネルと接する上面１２には、十字形の十字突起部１５を有している。この十字突起部１５は、フロアパネルの四隅を位置させるものである。
一方、第二支持脚２１は、短辺が外側に湾曲する平面略長方形からなるブロック体であり、上半分をわずかに絞って段差部２７を有している。
なお、第一支持脚１１及び第二支持脚２１の形状は図示のものに限らず、平面略円形等その他の形状のものであってもよい。
【００１９】
第一支持脚１１及び第二支持脚２１は、ともに安定性をもたせるために、底面を一回り大きく延ばした拡延部１３，２３を有する。この拡延部１３と拡延部２３、あるいは拡延部２３と拡延部２３とが、連結片２９で連結されている。
また、第一支持脚１１と第二支持脚２１は、底面の開口された中空体をしており、段差部１７，２７より上の内部空間には格子状のリブを備えている。
【００２０】
図２は、本発明のフロアパネル支持構造を示す斜視図である。
床５０へ複数の支持脚連結ユニット１０，１０，…を並べ、その支持脚連結ユニット１０，１０，…上にフロアパネル５１，５１，…を載置する。フロアパネル５１の四隅５２，５２，５２，５２は、それぞれ第一支持脚１１の上面１２に有する十字突起１５の四分割されている各コーナー１６，１６，１６，１６に位置する。そして、その他の第二支持脚２１は、フロアパネル５１の縁部分や内側部分に位置する。このようにして、支持脚連結ユニット１０はフロアパネル５１を支持する。
【００２１】
このようにして施工されたフロアパネル支持構造のフロアパネル５１下には、電話コードや電気コードなどコード類６０が配線される。フロアパネル５１の下には、第一支持脚１１と第二支持脚２１が碁盤の目のように縦・横に配置されているので、第一支持脚１１と第二支持脚２１の数の割に十分な配線スペースが確保でき、また配線施工もしやすい。
【００２２】
図３及び図４は、本発明のフロアパネル支持構造におけるフロアパネルの高さ調整を説明する説明図である。
第一支持脚１１と第二支持脚２１は、前記のとおり底面の開口された中空体であるために、第一支持脚１１どうし、及び第二支持脚２１どうしを積み重ねることが可能である。同じ形の第一支持脚１１や第二支持脚２１を積み重ねることで、極めて簡単にフロアパネル５１の高さ調整が行える。
【００２３】
この場合に、図３では、連結片２９で連結された支持脚連結ユニット１０を積み重ねた状態を示す。これによると、支持脚連結ユニット１０を積み重ねるだけなので、作業効率が極めて優れている。
また、図４では、それぞれ独立した第一支持脚１１及び第二支持脚２１を積み重ねた状態を示す。支持脚どうしを連結する連結片２９がないために、配線スペースを十分に確保できる利点がある。
【００２４】
第一支持脚１１と第二支持脚２１の上面１２，２２には、それぞれ第一支持脚用緩衝部材３１，第二支持脚用緩衝部材３６が取り付けられている。これについては、図５及び図６で詳しく説明する。
図５は、フロアパネル支持構造の一部を拡大した説明用側面図である。フロアパネル５１の四隅５２には第一支持脚１１，１１が位置し、フロアパネル５１の縁部分には第二支持脚２１，２１が位置している。
【００２５】
第一支持脚１１と第二支持脚２１の上面１２，２２には、第一支持脚用緩衝部材３１，第二支持脚用緩衝部材３６としてゴム製の突起状部材が取り付けられており、第一支持脚１１と第二支持脚２１は同じ高さでフロアパネル５１を支持している。
なお、第一支持脚用緩衝部材３１及び第二支持脚用緩衝部材３６の取り付けは、嵌め込み、接着、両面テープ等による後からの固定でも、一体成型時に同時に取り付ける方法でも良い。
【００２６】
第二支持脚２１の上面２２に取り付けられた第二支持脚用緩衝部材３６は、第一支持脚１１の上面１２に取り付けられた第一支持脚用緩衝部材３１と同等数程度の突起体３７，３８を有していながら、その中に高さの異なる低い突起体３８を混在させている。これにより、第一支持脚用緩衝部材３１は、第二支持脚用緩衝部材３６よりもフロアパネルを支持する支持力が大きいことになる。
【００２７】
すなわち、フロアパネル５１からの押圧に対して、第二支持脚用緩衝部材３６は、第一支持脚用緩衝部材３１よりもよく沈むことになる。
従って、床５０に凹凸があって、第一支持脚１１と第二支持脚の高さが一致しない場合でも、第一支持脚１１によるフロアパネル５１四隅５２，５２，５２，５２の支持を妨げず、安定したフロアパネル５１の支持を可能とする。
【００２８】
また、第一支持脚１１と第二支持脚２１には、第一支持脚用緩衝部材３１，第二支持脚用緩衝部材３６が取り付けられていることで、フロアパネル５１と第一支持脚１１・第二支持脚２１との衝突による衝突音を防ぐ防音効果がある。
とくに、例えば、フロアパネル５１と第二支持脚２１との間に隙間を設けた（非接触）前記特許文献３の場合には、フロアパネル５１に押圧がかかるとフロアパネル５１と第二支持脚２１が衝突するので衝突音が出やすい。
しかし、本発明の場合には、フロアパネル５１と第二支持脚２１とは予め接触しているので、フロアパネル５１に押圧がかかってもフロアパネル５１と第二支持脚２１の衝突が緩和される。よって、衝突音を防止でき、極めて高い防音効果を奏する。
【００２９】
図６は、図５の変更例である。
すなわち、第一支持脚１１と第二支持脚２１の上面１２，２２には、第一支持脚用緩衝部材３２，第二支持脚用緩衝部材３９が取り付けられており、第二支持脚用緩衝部材３９が第一支持脚用緩衝部材３２よりも柔軟性のあるものとして取り付けられたものである。
これにより、フロアパネル５１からの押圧に対して、第二支持脚用緩衝部材３９は、第一支持脚用緩衝部材３２よりもよく沈むことになる。その結果、図３の場合と同様な効果を奏することとなる。
なお、第一支持脚用緩衝部材３２及び第二支持脚用緩衝部材３９の大きさは、第一支持脚１１と第二支持脚２１の上面１２，２２全面でなくても良い。
【００３０】
また、同じ図６の例として、緩衝部材３９が緩衝部材３２よりも低密度のものとして取り付けられることもある。この場合も、フロアパネル５１からの押圧に対して、第二支持脚用緩衝部材３９は、第一支持脚用緩衝部材３２よりもよく沈むことになる。その結果、図５の場合と同様な効果を奏することとなる。
【産業上の利用可能性】
【００３１】
以上のように、本発明のフロアパネル支持構造は、オフィス等で多数のパソコンや電話機などのＯＡ機器を配置して煩雑となりがちなコード類の配線に利用されるフロアパネルを支持するために用いられる。
とくに、静かな環境やフロアパネルの高さ調整が必要とされる場所に適している。
【図面の簡単な説明】
【００３２】
【図１】支持脚連結ユニットの全体図。
【図２】フロアパネル支持構造を示す斜視図。
【図３】フロアパネル支持構造における高さ調整を説明する説明図。
【図４】フロアパネル支持構造における高さ調整を説明する説明図。
【図５】フロアパネル支持構造の一部を拡大した説明用側面図。
【図６】フロアパネル支持構造の一部を拡大した説明用側面図。
【符号の説明】
【００３３】
１０  支持脚連結ユニット        １１  第一支持脚
１２  上面                      １３  拡延部
１５  十字突起                  １６  コーナー
１７  段差部                    ２１  第二支持脚
２２  上面                      ２３  拡延部
２９  連結片              ３１，３６  緩衝部材
３７，３８  突起部材      ３２，３９  緩衝部材
５０  床                        ５１  フロアパネル
５２  四隅                      ６０  コード類
【図１】
2005036494.tif 000003
【図２】
2005036494.tif 000004
【図３】
2005036494.tif 000005
【図４】
2005036494.tif 000006
【図５】
2005036494.tif 000007
【図６】
2005036494.tif 000008